(57)【特許請求の範囲】
【請求項１】
電気生理学モニタシステム（２５）の複数の電気的信号チャンネルと、カテーテル（２１；２２；２３）の組合せに基づく複数のセンサワイヤー（２９ａ〜ｌ；３０ａ〜ｆ；３１ａ〜ｄ）と、の電気的結合を確立するためのインターフェースユニット（１）において、
前記ユニット（１）は、
個別のワイヤーを個別のチャネルに結合させ、前記個別のワイヤーと解放可能に結合できる複数の接触部（４，５）と、
複数の記憶された接続形態から選択可能なワイヤーおよび接触部の接続形態の可視表示を行う、前記ユニット（１）の表面（３）に配置された表示装置と、を有し、
前記表示装置は、前記表面（３）に離脱可能な状態で位置決めできる複数のオーバーレイ（９〜１１）を含み、
前記各オーバーレイ（９〜１１）は、その表面（１４）上に、前記複数の記憶されている接続形態の中の異なる１つの可視表示（１６，１６ａ，１６ｂ；１７，１７ａ，１７ｂ；１８，１８ａ，１８ｂ；１６’，１６’ａ，１６’ｂ；１７’，１７’ａ，１７’ｂ；１８’，１８’ａ，１８’ｂ）を表示し、
前記ユニット（１）はさらに、前記オーバーレイ（９〜１１）を維持するためのバインディングポスト（１２）を含み、
前記複数のオーバーレイ（９〜１１）が、前記バインディングポスト（１２）上で、それぞれ移動可能であり、選択された前記オーバーレイ（９）は、前記ユニット（１）の前記表面（３）において最上部に位置決めできる
ことを特徴とするインターフェースユニット。
【請求項２】
前記可視表示が、複数のラベル（１６ｂ；１７ｂ；１８ｂ；１６’ｂ；１７’ｂ；１８’ｂ）を含み、
それぞれの前記ラベルは、個別のワイヤーを識別し、そして前記オーバーレイ（９）の前記表面（１４）上に配置され、その中の個別のスルーホール（１３）とともに登録される、請求項１記載のインターフェースユニット。
【請求項３】
前記接触部（４，５）が、前記ユニット（１）の前記表面（３）において解放可能な結合を形成するために配置され、
前記スルーホール（１３）がそれぞれ、前記オーバーレイ（９〜１１）上に配置されて、前記表面（３）において前記オーバーレイ（９〜１１）の場所の上の個別の前記接触部（４，５）へのアクセスを提供する、請求項２記載のインターフェースユニット。
【請求項４】
前記接触部（４）が格子形状に配置され、
前記接触部が、互いにグループ分けされたカテーテルの組合せの個別のカテーテルからのワイヤーと結合可能であり、
前記オーバーレイ（９〜１１）の可視表示（１６，１６ａ，１６ｂ；１７，１７ａ，１７ｂ；１８，１８ａ，１８ｂ；１６’，１６’ａ，１６’ｂ；１７’，１７’ａ，１７’ｂ；１８’，１８’ａ，１８’ｂ）が、それぞれのグループ分けの表示（１６；１７；１８；１６’；１７’；１８’）を含む、請求項１〜３のいずれか１項に記載のインターフェースユニット。
【請求項５】
それぞれの前記グループ分けの表示が、前記オーバーレイの着色区別領域（１６；１８）を含む、請求項４記載のインターフェースユニット。
【請求項６】
それぞれの前記グループ分けの表示が、境界線区分（１７）を含む、請求項４記載のインターフェースユニット。
【発明の詳細な説明】
【０００１】
【発明の属する技術分野】
本発明は、電気生理学の測定システムのためのインターフェースユニットに関する。このインターフェースユニットは、カテーテルにマウントされた電極からのワイヤーと、種々の手法を利用するモニタシステムとの間に電気接続が確立されることを可能とする。特に本発明は、接続形態を表示するための表示装置を含むユニットに関する。
【０００２】
【従来の技術】
電気生理学の測定システムは一般に、１つあるいはさらに多くの信号を、受信し、記憶し、処理し、そして表示するためのモニタシステムと、そしてインターフェースユニットとを含んでいる。そのような信号は、カテーテルマウントされた心臓内電極、表面ＥＣＧ電極、血液パラメータセンサー、そして類似の生理学パラメータセンサー、のような患者用の多くのインタラクティブな素子から発生するものである。モニタシステムはしばしば、切り替えユニットを含むことがある。それによって、異なった組合せの心臓内電極を選択的に使用する測定が実行可能となる。
【０００３】
インターフェースユニットは一般には、遠端において患者のインタラクティブな素子に接続されているワイヤーの近端を受け取り、そしてモニタシステムの切替装置にそれらの電気接続を供給するために、ベッドサイドに用意されている。そのワイヤーは、入力端子に対して解放可能な結合を用いてインターフェースユニットによって受け取られる。その入力端子は、心臓内電極のために、しばしばユニットの表面に格子状に配置されることがある。切り替えユニットへの電気接続のために、１つのアウトプットソケットが備えられている。そしてそのアウトプットソケットは複数の接触部を含んでいて、それぞれの接触部は対応する入力端子と固定された接続状態にある。どの電極ワイヤーがどの端子に接続されるかは主に、特定の生理学の研究のために使われているカテーテルの組合せや、その研究の性質や、そして電気信号を受け取るためにモニタシステムがどのように機器形態で構成されているか、に依存している。
【０００４】
どのような生理学の研究に着手する場合でも、その前には、正しいカテーテルワイヤーがインターフェースユニットの上に正しい端子と接続されるように、システムがセットアップされる必要がある。このセットアップを容易にするために、識別目的のためにそれぞれの端子が数字順に耐久的にラベル付けされているインターフェースユニットを提供することが知られている。特定のカテーテルのそれぞれのワイヤーは通常、製造業者によって識別ラベルが提供されている。特定の研究のために必要とされるワイヤーおよびターミナルの接続形態を表示するために、これらの２つのラベルのセットを使ってルックアップテーブルが作り出される。拭き上げられてきれいにされた表面が、インターフェースユニットの上で利用可能にされることもできる。そのようにして、研究で使われるそれぞれの端子に関してラベルを備えることができ、結果としてルックアップテーブルに従って差し込まれるカテーテル電極ワイヤーを識別することができる。
【０００５】
【発明が解決しようとする課題】
しかしながら、生理学研究の間には非常にしばしば、カテーテルを異なった測定位置に移動させて、カテーテルの組合せを変えることとか、あるいは同じカテーテル組合せのために測定プロトコルを再構成することが望ましいこともあり得る。これらのイベントのいずれにおいても、インターフェースユニット接続の再構成が必要であり、そして交替プロセスにおいては、インターフェースユニット上の特定のラベルが新しいターミナルと一致させられる。これはオペレータのためには退屈で、そして時間がかかるものである。そして正しいルックアップテーブルを識別して、そして次にテーブル上の割当てをインターフェースユニットの上の可視のラベルに移し換えるという２つのステッププロセスの間には、正しくない接続形態が作り上げられてしまうという恐れが存在している。
【０００６】
この問題を軽減するために、切り替え、増幅およびインターフェース作用を単独の、小型のベッドサイドユニットに組み合わせる「インテリジェントな」素子を提供するＵＳ第５，６４０，９６７号が知られている。その特許では、マイクロプロセッサによって制御されるＬＣＤスクリーンディスプレイが備えられて、特定の測定プロトコルのために必要とされる接続形態をグラフィクに表示する。後の検索と表示のために、異なった接続形態のライブラリを記憶するための記憶装置もまた備えられている。
【０００７】
既存のインターフェースユニットは本質的にワイヤーと端子との間に解放可能な結線（それぞれの端子と、固定された残りのユニットの対応するアウトプットピンとの間の接続）が選択的に確立されているだけであることに比較すると、これは追加の電子部品を用いるため、既存の「融通の利かない」インターフェースユニットよりは実行するのに比較的費用がかかる。さらに、ＬＣＤディスプレイの使用は、それ自体では、容易に解釈可能なラベルの構成という問題を扱ってはいない。
【０００８】
追加の問題は、特定のカテーテルのそれぞれの電極を接続しているワイヤーに、数字順にラベル付けするという製造業者の標準的な実行の結果として生じる。つまり、インターフェースユニットにおいて正しい電極ワイヤー接続を確立しようとするとき、カテーテルの組合せにおいては、それぞれのカテーテルが同様に識別されたワイヤー含んでいるであろうために生じる問題がある。このような事情においては、ワイヤーと端子との間に直感的な（そしてそのために本来的により安全な）相互関係を備えることができるラベルを容易に構成することは不可能である。
【０００９】
【課題を解決するための手段】
上記課題は本発明により、電気生理学モニタシステムの複数の電気的信号チャンネルと、カテーテルの組合せに基づく複数のセンサワイヤーと、の電気的結合を確立するためのインターフェースユニットにおいて、ユニットは、個別のワイヤーを個別のチャネルに結合させ、個別のワイヤーと解放可能に結合できる複数の接触部と、複数の記憶された接続形態から選択可能なワイヤーおよび接触部の接続形態の可視表示を行う、ユニットの表面に配置された表示装置と、を有し、表示装置は、表面において離脱可能な状態で位置決めできる複数のオーバーレイを含み、各オーバーレイは、その表面上に、複数の記憶されている接続形態の中の異なる１つの可視表示を表示することを特徴とするインターフェースユニットを提供することによって解決される。このインターフェースを備えることによって、ワイヤーおよび接触部の接続形態のライブラリが比較的安価に、そしてユニットを備えるための複雑な電子部品を付加することなしに確立することができる。このユニットは、ワイヤーおよびカテーテルの視覚的な組合せの表示を容易に変更できるものである。
【００１０】
【発明の実施の形態】
ライブラリのそれぞれのオーバーレイは、インターフェースユニットのハウジングに取り付けられているバインディングポスト上に有効に保持され、そしておそらくは、その上で移動可能である。この配置は、ライブラリの完全性を維持する助けとなって、そしてハウジングの上面でオーバーレイの相関関係を援助することができる。
【００１１】
それぞれのオーバーレイは次のように構成されることが望ましい。すなわち、カテーテル組合せのそれぞれのカテーテルのための接触部には、線が引かれるか、または着色された／陰影をつけられたブロック境界、あるいは接触部の異なったグループの内部接続ライン境界のような、可視の境界を含む可視表示、さらには、例えばラベルあるいは着色コード識別子のような、特定の接触部グループ分けするための個別のカテーテルを可視的にリンク接続する識別子、カテーテル製造業者提供のワイヤー識別子に対応することが望ましいワイヤーラベル識別子、を用いてグループ化されることが望ましい。この方法では、期待されるワイヤーおよび接触部の接続形態を容易に解釈可能な表示が、記憶、あるいは記録される必要がなく、単独のオーバーレイ内に設けられる。そのような記憶、あるいは記録はしばしば複雑な、そして抽象的な「人工の」ラベル識別子を必要とするものである。このグループ分けとラベル配置もまた、ＬＣＤスクリーンディスプレイあるいは耐久的に固定されたディスプレイのような他の表示手段によって、同様に有利に使用されることも出来る。
【００１２】
【実施例】
本発明の例としての実施例が、添付されている図面を参照しながら説明される。
【００１３】
図１のインターフェースユニット１において、ハウジング２は表面３の上に、格子状に配置された（全体的に４として示されている）複数のジャック、例えば図示されているように、４×８のマトリクスで配置された３２個のジャックと、さらに２つのジャック５とを有している。これらのジャック４、５は、（図示されていない）心臓カテーテル電極ワイヤーの補足的なジャックプラグからの解放可能な結合を実現するために備えられている。標準的な「Ｄ−コネクタ」６と２つのジャック７は、ハウジング２の側壁８内に設けられており、そしてハウジング２の中において、それぞれハウジング２内に格子状に配置されたジャック４と他の２つのジャック５に至る固定配線接続がなされている。あるいは、Ｄ−コネクタ６には、側壁８において除かれた２つのさらなるジャック５とジャック７への接続が設けられることもできる。さらに、Ｄ−コネクタ６は、永久的にジャック４、５に接続されている多心配線によって置き換えることもできる。
【００１４】
多くのオーバーレイ９〜１１はまた、リングバインダ１２の手段によって、解放可能な形でハウジング２に接続され、そして前記オーバーレイには、（全体として１３で示される）複数の孔が設けられ、オーバーレイ９が表面３上に正確に設けられるときに、それらの孔はジャック４、５と一致して、それらの電気接続がカテーテル配線にまで至る。それぞれのオーバーレイ９〜１１は、表面３から離れた１つの位置（オーバーレイ１０〜１１）と表面３上の１つの位置（オーバーレイ９）との間で、リングバインダ１２上を移動でき、またリングバインダ１２から取り除くこともできる。表面３上の位置にあるとき、そのオーバーレイはジャック４、５上に置かれている。各オーバーレイ９〜１１は、（ハウジング２の表面３の上に置かれるとき）上側表面１４の上に、特定のカテーテル組合せを使って実施されるべき特定の電気生理学研究が着手されることを可能にするために必要な、異なるワイヤーおよびジャック４の相互接続形態の可視表示を有している。このことは、図３と関連して以下にさらに十分に説明されるであろう。それぞれのオーバーレイ９〜１１には、識別ラベル１５（図２参照）を備えることができる。それによって、使用者は正しいオーバーレイ９〜１１が、ハウジング２の表面３上の最上位置に置かれていることを確認することができる。
【００１５】
図２ａには、図１のインターフェースユニット１において使用できるオーバーレイ９の１つの例が示されている。ここではオーバーレイ９は、例えばアセテートあるいは他のプラスチックの、薄い、柔軟なシートからなる。これを通して複数の孔１３が作られ、それぞれの孔は、オーバーレイ９がハウジング２の表面３の上に配置されるときに、孔がジャック４、５の対応する１つにアクセス可能となるように設けられている。シートの１つの表面１４の上には、可視の表示が形成されて、カテーテルの特定の組合せのためにワイヤーとジャック４の相互配線を示す（ここでは３本のカテーテルがあり、１つは１２本のワイヤーを、１つは６本のワイヤーを、そして１つは４本のワイヤーを持っている）。
【００１６】
この表示は不透明なブロック１６、１８と境界設定ライン１７の一方または両方を含むこともできる。境界設定ラインは表面１４の上に設けられて、異なるカテーテルのためのジャック間の可視の境界を規定している。それぞれの表示１６，１７，１８は、その上にカテーテル識別子が備えられるカテーテルラベルエリア１６ａ、１７ａ、１８ａを有している。この識別子は、例えば、よく知られている「ＲＡ」「ＲＶ」等から選ばれることができる。これらは、臨床家が心臓の中の位置を示すために使用する表記法であり、そして接続されるカテーテルの直感的な表示を提供するものである。
【００１７】
それぞれの表示１６，１７，１８はまた、ワイヤーラベルエリア（全体的に１６ｂ、１７ｂ、１８ｂとして示されているが、しかし必ずしも可視の境界を持つ必要はない）を有しており、その上には、製造業者提供の指定に対応した、例えば数字「１，２，３．．．」のような、ワイヤー識別子が設けられている。それぞれの識別子は個別の孔１３を指示するものである。表示ブロック１９も設けられている。これは刺激電極からのジャックプラグを取り付けるために特に設けられたもので、「Ｓ＋」および「Ｓ−」というラベルをはられて、非格子形のジャック５を限定するために用いられるものである。それぞれのオーバーレイには、ブロック２０内に、英数字の「Ａ１」のような、独特の識別ラベル１５が設けられる。このように、図２ａにおいて提供されたオーバーレイ９の図から次のような可視表示、すなわち、異なったカテーテル組合せからのカテーテルリードが容易に、そして直感的に、正しいジャック４にリンク接続されることを表していることが明らかである。なぜなら、それぞれのカテーテルのためのジャックのグループ分けが、表示１６，１７，１８によって明らかに示されているからであり、そしてそれぞれのカテーテルに関しては、ワイヤーラベル１６ｂ、１７ｂ、１８ｂが、製造業者によって個別のワイヤー上に置かれたラベルに対応するからである。
【００１８】
別のオーバーレイ９が図２ｂに示されている。ここにおいては、表示ブロック１６，１７，１８が、対応する相互接続ライン１６’、１７’、１８’に置き換えられている。それぞれのライン１６’、１７’、１８’は、孔１３の異なった組合せを相互に接続するように配置されて、個別のカテーテル接触部のグループ分けを区別している。図２ａのオーバーレイ９のラベルエリア１６a、１７a、１８aに対応するカテーテルラベルエリア１６'ａ、１７'ａおよび１８'ａは、接続線によってそれぞれのライン１６’、１７’、１８’にリンク接続されていることが示されている。オーバーレイ識別子ラベル１５は、ブロックの中にも設けられている。
【００１９】
実際、図２ａおよび２ｂの離脱可能なオーバーレイ９の表面１４上に示されているこれらのユニークな、そして独創的な可視表示は、図１のインターフェースユニット１に類似のハウジング２の表面上にマークされた永久に固定されている表示として設けることもでき、または集積された、有利にはフラットパネルの、ディスプレイスクリーンを使って表示することもできる。
【００２０】
これらのオーバーレイ９〜１１の選択および構成は、図３の電気生理学測定システムの動作の説明から、もっと良く理解されるであろう。そこには３本の心臓内測定カテーテル２１，２２，２３および、インターフェースユニット１のハウジング２内のジャック４、５（図１）に電気接続された１つの心臓内刺激カテーテル２４が示されている。またそこには、それぞれのワイヤー２６、および２７、２８によってＤコネクタ６（図１）と、そしてインプットジャック７（図１）を通してジャック４、５に電気的に接続された電気生理学モニタシステム２５も示されている。多数の測定用電極２１ａ〜ｌ、２２ａ〜ｆ、および２３ａ〜ｄが、心臓の中への挿入のために、それぞれのカテーテル２１，２２，２３の上に設けられている。それらは対応する数字のワイヤー２９ａ〜ｌ、３０ａ〜ｆ、３１ａ〜ｄに接続されている。これらのワイヤー２９ａ〜ｌ、３０ａ〜ｆ、３１ａ〜ｄには、その自由端に、インターフェースユニット１のジャック４（図１）との解放可能な接続のための（図示されていない）ジャックプラグが設けられており、そしてカテーテル２１〜２３のそれぞれのために、１から（あるいは図２ｂに示されるように「ｄ」から）始まる数字順でラベルが貼られている。
【００２１】
モニタシステム２５は、切り替えユニット３２と、刺激ユニット３３と、増幅器ユニット３４と、処理／制御ユニット３５と、ディスプレイモニタ３６と、そしてユーザ入力インターフェース３７とを含んでいる。これらのユニットは一般に公知の電気生理学モニタシステムにおいて使用されていることは、当業者に既知である。そこには、プリンタ、遠隔通信ユニットおよび類似品のような、他のコンポーネントもまた、同じく使用されるが、そのようなアイテムが本実施例のシステム２５から除外されるようには意図されていない。さらに、理解を容易にするために、それぞれのユニット３２〜３７が個別のアイテムとして示されてはいるが、個別のユニットのいくつかの、あるいはすべての機能が、プログラムされたパーソナルコンピュータ、あるいは専用のマイクロプロセッサユニットのような、単独の物理的なユニットの内部に設けられる。
【００２２】
ワイヤー２６は、インターフェースユニット１の個別のジャック４と切り替えユニット３２の個別の入力チャネルとの間に電気接続をしている。ユニット３２は電気的に作動される（図示されていない）スイッチを含んでいて、このスイッチは、処理／制御ユニット３５の制御信号によって選択された方法で開閉することができる。その結果、接続されたカテーテル２１〜２３の電極の選択された組合せを使って、処理／制御ユニット２５の内部において電気生理学測定が実行されることを可能にする。こうして、開閉されたスイッチの特定の配置のために、この測定はインターフェースユニット１におけるワイヤーおよびジャックの接続形態に依存することが理解される。
【００２３】
処理／制御ユニット３５はまた、コンピュータハードディスクのような、記憶装置を含んでおり、その記憶装置の中に、前もって定められた複数のスイッチ配置が記憶され、それぞれのスイッチ配置は異なる１つまたはそれ以上の予期されるワイヤーおよびジャックの接続形態でリンク接続されている。処理／制御ユニット３５はさらに、特定の構成および配置組合せによって実行される電気生理学測定の表示を含んでいる。この情報は装置の製造業者によって記憶されるかもしれず、そして付加的に、または代替的に、以下に概説されるシステムセットアップ手順の間にユーザによって付加されることもある。
【００２４】
それぞれの異なったワイヤーおよびジャックの接続形態のために、図１および図２ａ，ｂに関連して上に説明されたように、オーバーレイカード９〜１１（図１）は、インターフェースユニット１において表面１４の上に、特定の形態の可視表示を有する。モニタシステム２５の設定によっては、ユーザがアルファニューメリックキーボードあるいはマウスのような、ユーザ入力インターフェース３７を使ってディスプレイモニタ３６の上に特定の電気生理学研究および特定のカテーテル組合せを表示する（もちろんもしこれらのパラメータの１つあるいは他のパラメータが固定されていれば、単に可変的なパラメータだけが表示される必要がある）ように、動作することもできる。処理／制御ユニット３５は、その選択を処理して、そして選択を満たすために必要とされる特定のワイヤーおよびジャックの接続形態の組合せを備えるオーバーレイ９〜１１を選ぶ。この組合せを有する特定のオーバーレイ９〜１１（図１）の可視表示は、ユニット３５によってディスプレイスクリーン３６上に発生される。この表示は、オーバーレイ９の識別子ラベル１５（図２）であることもある。あるいは、付加的、または代替的に、必要とされるオーバーレイの表面１４を表すグラフィックのイメージであることもある。リングバインダ１３上のオーバーレイ９〜１１は、ぱらぱらとめくられ、そして正しいオーバーレイがインタフェースユニットハウジング２（図１）の表面３の上の最上部に置かれる。それから、カテーテルワイヤー２９（ａ〜ｌ）、３０（ａ〜ｆ）、３１（ａ〜ｄ）がオーバーレイ表面１４の上に表示に従って差し込まれる。
【００２５】
もし電気生理学研究あるいは特定のカテーテル組合せが新しいものであるなら、処理／制御ユニット３５の中のセットアップルーチンは、ユーザが切り替えユニット３２内で使用されるべきスイッチ配置を決めて、さらにもしこれも新しいなら、カテーテルワイヤーおよびインターフェースユニットの接触部の配置をも決めることができるようにする。それから処理／制御ユニット３５は、既存の配置を記憶している記憶装置に新しいスイッチ配置を加える。これには異なった１つまたはそれ以上の予期されるワイヤーおよびジャックの接続形態へのリンク接続と、そして特定の形態および配置の組合せによって実行された電気生理学測定の表示とを含んでいる。
【００２６】
新しいワイヤーおよび接続部の配置を決めるとき、ユーザには、ブランクオーバーレイを表す、そしてユーザ入力インターフェース３７を用いて、（選択的に製造業者自身のワイヤー識別ラベルによって）カテーテルのナンバーと、それらのワイヤーのナンバーをインプットすることによって、ディスプレイスクリーン３６上のイメージが表れるようにすることができる。処理／制御ユニット３５は、ブランクオーバーレイ上において適当なカテーテル配置を計算し、そして表示するためにプログラムされるように構成できる。そして、それぞれのカテーテルのためのワイヤーが互いにグルーフ化されて、可視の境界が、新しいオーバーレイ上に設けられて、別のカテーテルグループを表示する。あるいは、ユーザがオーバーレイのスクリーンイメージ上において手作業でこれらのグループ分けを構成することができる。グループ分けが行われたとき、ユーザはワイヤーインジケータとともに識別ラベルを設ける。ワイヤーインジケータは、デフォルト状態では、一般にワイヤー識別子としてカテーテル製造業者によって使われている番号シーケンスである。これら識別ラベルおよびワイヤーインジケータは、実際のオーバーレイ９（図２）上の、カテーテルラベルエリア１６ａ，１７ａ，１８ａ；１６’ａ，１７’ａ，１８’ａに、そしてワイヤーラベルエリア１６ｂ，１７ｂ，１８ｂ；１６’ｂ，１７’ｂ，１８’ｂに対応しているエリアにおけるスクリーンイメージの上に設けられる。ユーザはインターフェース３７を使って、スクリーン３６上に提供されたオーバーレイレイアウトの受け入れを示して、そして独特なオーバーレイ識別ラベル１５を用意する。このオーバーレイ識別ラベルは、実際のオーバーレイ９上の識別子ブロック２０（図２）に対応する領域内のスクリーンイメージ上に入力される。代わりに、このラベル１５を処理／制御ユニット３５によって生成することもできる。それから処理／制御ユニット３５は、このスクリーンイメージを処理して、従来形のインクジェットあるいはレーザープリンタのような、（図示されていない）オプションのプリンタによって使用される印刷制御コマンドを出力する。このプリンタはブランクのオーバレイシートの上にそのイメージをプリントする。このシートには、便宜上スルーホール１３（図２）を前もって形成していてもよい。
【００２７】
図４に、代替的な電気生理学測定システムが示されている。ここで、図３のシステムおよび図１のインターフェースユニットにおいて示された素子に対応している素子には、対応する参照数字が与えられている。モニタシステム２５の切替ユニット３２は、信号ケーブル２６ａ、２６ｂによって、２つのインターフェースユニット３８ａ、３８ｂに接続されている。そのユニットの各々は、電気生理学研究を実行するために必要なカテーテルの異なった組合せでインターフェースするように形成されている。それぞれのインターフェースユニット３８ａ、３８ｂは、その形態においては図１のインターフェースユニットに類似していて、そして多数の、ここでは２４個の、格子状に配置されたインプットジャック４ａ、４ｂを含んでいる。ここでは、インプットジャックは表面３ａ、３ｂ上に「８×３」マトリクス状に配置されている。専用の刺激カテーテルジャック５ａ、５ｂもまた、この表面３ａ，３ｂ内に設けられ、すべてのジャック４，５はＤ−コネクター６ａ、６ｂに、そしてさらにジャック７ａ、７ｂに、それぞれ固定配線されている。これらのジャック７ａ、７ｂは、刺激器ユニット３３のインプットワイヤー２７、２８との解放可能な接続のために利用できる。刺激器ユニットは、処理／制御装置３５によってコントロールされて、研究の間に心臓内を刺激活性するために有用な電気信号を供給する。
【００２８】
それぞれのインターフェースユニット３８ａ、３８ｂは、ジャック４ａ、４ｂを含んでいる表面３ａ、３ｂ上に、カテーテルの特定の組合せに関するワイヤーおよび接触部の接続形態の、耐久的な可視表示（ここではそれぞれのユニットのために３つが示されている）を形成している。この表示は、本質的には図２のオーバーレイに関して上に説明されたものであって、そして異なったカテーテルに関してジャック４のグループ分け間の可視の境界を含むものである。この境界は、例えば、着色あるいは陰影付けされた、または仕切られた領域３９、４０、４１の形態でも、あるいは単にそれぞれのグループ分けの周囲のラインマーキング４２、４３、４４であってもよい。同じく表面３ａ、３ｂの上に設けられるのは、ラベル２０ａ、２０ｂであり、それらはユーザに、そしてモニタシステム２５に特定のインタフェースボックス３８ａ、３８ｂを識別するために使うことができる。
【００２９】
本発明によるインターフェースユニットの前述実施例が、単に心臓カテーテル電極との関係で説明されてはいても、このインターフェースユニットが付加的に他の患者のインタラクティブな素子からのインプットワイヤー（例えば、ＥＣＧワイヤー、圧力センサーおよび血液内ガスセンサー）を受け取る、さらには格子状配置の中において異なった数の接触部を設けるなど、請求されている本発明の範囲から逸脱することなく、変更され得ることは、当業者には明らかであろう。
【図面の簡単な説明】
【図１】  本発明によるインターフェースユニットを示す図である。
【図２ａ】  本発明によるインターフェースユニットと一緒に使用されるオーバーレイカードを示す図である。
【図２ｂ】  本発明によるインターフェースユニットと一緒に使用されるオーバーレイカードを示す図である。
【図３】  本発明によるインターフェースユニットを持つ電気生理学測定用システムのコンポーネントを示す概略図である。
【図４】  代替の電気生理学測定システムを示す概略図である。
【符号の説明】
１  インターフェースユニット
２  ハウジング
３  表面
４，５  電気的接触部
６  コネクタ
７  ジャック
８  側壁
９〜１１  オーバーレイ
１２  バインディングポスト
１３  孔
１４  表面
１５  識別ラベル
１６〜１９  表示
２０  ブロック
２１〜２４  カテーテル
２５  電気生理学モニタシステム
２６〜２８  ワイヤー
２９〜３１  センサワイヤー
３２  切り替えユニット
３３  刺激ユニット
３４  増幅器ユニット
３５  処理／制御ユニット
３６  ディスプレイモニタ
３７  ユーザ入力インターフェース
３８  インターフェースユニット
３９〜４４  表示
【図１】
0004970658.tif 000002
【図２ａ】
0004970658.tif 000003
【図２ｂ】
0004970658.tif 000004
【図３】
0004970658.tif 000005
【図４】
0004970658.tif 000006